(57)【要約】【課題】ストラップに急な引張荷重が作用した場合に、杖の使用者の安全を確保できる杖用ショルダーストラップを提供すること。【解決手段】本発明の杖用ショルダーストラップは、分断部を備え、該分断部は、互いに着脱自在に係合係止可能な挿通具と被挿通具とからなり、該挿通具は、該被挿通具と係合して該被挿通具に係止された状態で、該ストラップに所定の引張荷重がかかると、該被挿通具から脱着する。【選択図】図１
2011067477.tif 000002
【特許請求の範囲】
【請求項１】
分断部を備える杖用ショルダーストラップであって、該分断部が、互いに着脱自在に係合係止可能な挿通具と被挿通具とからなり、該挿通具が、該被挿通具と係合して該被挿通具に係止された状態で、該ストラップに所定の引張荷重がかかると、該被挿通具から脱着する、杖用ショルダーストラップ。
【請求項２】
前記ストラップが、輪を形成し、前記分断部とは異なる任意の部位に杖取付部材を備える、請求項１に記載の杖用ショルダーストラップ。
【請求項３】
前記ストラップが、両端に近接する部位にそれぞれ杖取付部材を備える、請求項１に記載の杖用ショルダーストラップ。
【請求項４】
前記ストラップが、任意の部位に光反射部材または発光部材を備える、請求項１から３のいずれかの項に記載の杖用ショルダーストラップ。
【請求項５】
前記光反射部材または発光部材が、前記ストラップに接着されている、請求項４に記載の杖用ショルダーストラップ。
【発明の詳細な説明】
【技術分野】
【０００１】
本発明は、杖用ショルダーストラップに関する。
【背景技術】
【０００２】
杖の転倒防止などのために用いられるストラップは、杖を持つ手の手首を通すリストストラップが一般的である。しかし、作業などに両手を用いる必要がある場合には、リストストラップは不便である。このため、肩にかける杖用ショルダーストラップが提案されている（特許文献１）。
【０００３】
しかし、特許文献１に記載の杖用ショルダーストラップを肩にかけた状態で、杖やストラップが何らかの物に引っかかり、ストラップを引っ張る外力が作用すると、体が引っ張られて転倒するなどの危険性がある。特に、杖の先端が、電車の扉に挟まれるような場合には、重大な人身事故につながりかねない。
【０００４】
特許文献２には、紐の端部に各々バックルを取り付けることで紐の輪の切り離しと繋ぎ合わせとを可能にした杖用ショルダーストラップが開示されている。しかし、紐のワンタッチの切り離しと繋ぎ合わせとを容易にする構造は、杖やストラップを人の体から離したい場合の手動手段にすぎない。例えば、上述のような危険性に対応して咄嗟にバックルを操作することは困難である。
【先行技術文献】
【特許文献】
【０００５】
【特許文献１】特開２００７−２８２９５９号公報
【特許文献２】特開２００３−２４５１１０号公報
【発明の概要】
【発明が解決しようとする課題】
【０００６】
本発明は、ストラップに急な引張荷重が作用した場合に、杖の使用者の安全を確保できる杖用ショルダーストラップを提供することを目的とする。
【課題を解決するための手段】
【０００７】
本発明の杖用ショルダーストラップは、分断部を備え、該分断部は、互いに着脱自在に係合係止可能な挿通具と被挿通具とからなり、該挿通具は、該被挿通具と係合して該被挿通具に係止された状態で、該ストラップに所定の引張荷重がかかると、該被挿通具から脱着する。
【０００８】
１つの実施態様では、上記ストラップは、輪を形成し、上記分断部とは異なる任意の部位に杖取付部材を備える。
【０００９】
別の実施態様では、上記ストラップは、両端に近接する部位にそれぞれ杖取付部材を備える。
【００１０】
ある実施態様では、上記ストラップは、任意の部位に光反射部材または発光部材を備える。
【００１１】
他の実施態様では、上記光反射部材または発光部材は、上記ストラップに接着されている。
【発明の効果】
【００１２】
本発明の杖用ショルダーストラップによれば、ストラップに急な引張荷重が作用した場合に、ストラップが自動的に分断されることにより、杖の使用者の安全を確保できる。
【図面の簡単な説明】
【００１３】
【図１】本発明の杖用ショルダーストラップの一実施態様を示す概略正面図である。
【図２】本発明の杖用ショルダーストラップが分断された状態を示す概略正面図である。
【図３】本発明の杖用ショルダーストラップの他の実施態様を示す概略正面図である。
【発明を実施するための形態】
【００１４】
以下、本発明の杖用ショルダーストラップを、図面を参照しながら詳細に説明する。図１に、本発明の杖用ショルダーストラップの一実施態様を示す。
【００１５】
杖用ショルダーストラップ１００は分断部１１０を備える。分断部１１０は、互いに着脱自在に係合係止可能な挿通具１１１と被挿通具１１２とからなる。図１に示すように、ストラップ１００を使用している状態では、挿通具１１１は、被挿通具１１２と係合して被挿通具１１２に係止されている。ストラップ１００に所定の引張荷重がかかると、図２に示すように、挿通具１１１は、被挿通具１１２から脱着する。このように、ストラップ１００は、所定の引張荷重がかかった場合に、分断部１１０において分断される。
【００１６】
杖用ショルダーストラップ１００は、人の肩にかけた場合に、杖を人の体から離さないように保持する機能を有する限り、形状、大きさ、材質などは特に制限されない。ストラップ１００の形状としては、例えば、紐状、ベルト状、鎖状が挙げられる。ストラップ１００の展開した長さは、好ましくは８０〜１７５ｃｍである。ストラップ１００の材質としては、例えば、布、ニット、合成樹脂、皮革、金属、ゴム類が挙げられる。
【００１７】
分断部１１０は、互いに着脱自在に係合係止可能な挿通具１１１と被挿通具１１２とからなり、挿通具１１１が、被挿通具１１２と係合して被挿通具１１２に係止された状態で、ストラップ１００に所定の引張荷重がかかったときに、被挿通具１１２から脱着する限り、いかなる構成でもよい。
【００１８】
例えば、図１および２の分断部１１０は、一定の弾性を有する合成樹脂製の挿通具１１１と被挿通具１１２とからなる。挿通具１１１は、被挿通具１１２の穴に挿通され得る３つの爪を有し、両端の爪は、被挿通具１１２の穴の奥側面の孔に挿通され得る半円状の突起を側面に有する（図２）。被挿通具１１２は、挿通具１１１の３つの爪が挿通され得る穴を有し、穴は、挿通具１１１の両端の爪の側面の半円状の突起が挿通され得る孔を奥側面に有する。
【００１９】
挿通具１１１の両端の爪の側面にある突起の頂点間の長さは、被挿通具１１２の穴の断面の長手方向の長さよりも両突起の高さ分だけ長い。このため、挿通具１１１を被挿通具１１２に挿通させる過程では、挿通具１１１の両端の爪は内側に湾曲する。挿通具１１１を被挿通具１１２に完全に挿通させて係合させると、挿通具１１１の両端の爪が元の形状に戻ろうとする力により、挿通具１１１の両端の爪の側面にある突起が被挿通具１１２の穴の奥側面にある孔に挿通されて係合されるため、挿通具１１１は被挿通具１１２に係止される（図１）。
【００２０】
係止された挿通具１１１を被挿通具１１２から脱着させようと引っ張ると、被挿通具１１２の穴の奥側面にある孔に係合している挿通具１１１の両端の爪の側面にある突起が、孔の側面に引っかかるため、挿通具１１１を動かし始めるためには所定の引張荷重が必要となる。
【００２１】
図１に示すように、ストラップ連結具として用いられる通常の挿通具１２１は、被挿通具１２２の穴に挿通され得る３つの爪を有し、両端の爪は、被挿通具１２２の穴の奥側面の孔に挿通され得る直角三角状の突起を側面に有する。このため、係止された挿通具１２１を被挿通具１２２から脱着させようと引っ張っても、被挿通具１２２の穴の奥側面にある孔に係合している挿通具１２１の両端の爪の側面にある突起が、孔の側面に引っかかるため、挿通具１２１を動かすことはできない。挿通具１２１を動かすためには、挿通具１２１の両端の爪の側面にある直角三角状の突起を両側から内側に指で押す必要がある。その上で、挿通具１２１を被挿通具１２２から引き抜かなければならない。
【００２２】
これに対して、分断部１１０において、係止された挿通具１１１を被挿通具１１２から脱着させるためには、挿通具１１１を動かし始めるために必要な所定の引張荷重で、挿通具１１１を被挿通具１１２から引き抜くだけでよい。
【００２３】
被挿通具１１２に係止された挿通具１１１を被挿通具１１２から脱着させるために必要な所定の引張荷重は、杖５０を保持するために必要な荷重よりも大きければよく、被挿通具１１２に係止された挿通具１１１を手動により被挿通具１１２から脱着させるために必要な引張荷重よりも小さければよい。好ましくは２０〜１００Ｎ以上、より好ましくは３０〜５０Ｎである。
【００２４】
挿通具１１１および被挿通具１１２の材質としては、例えば、合成樹脂、金属、ゴム類が挙げられる。
【００２５】
挿通具１１１および被挿通具１１２は、市販されているものでよい。例えば、安全ロック（樹脂製アジャスターバックル）が挙げられる。
【００２６】
杖用ショルダーストラップ１００に設けられる分断部１１０の部位は特に制限されない。分断部１１０を視認しやすくする点で、杖５０に取付けられたストラップ１００の部位に近接する部位、例えば、以下で詳述する杖取付部材１２０に近接する部位が好ましい。例えば、図１のストラップ１００は、杖取付部材１２０に近接する部位に分断部１１０を備える。
【００２７】
杖用ショルダーストラップ１００を杖５０に取付ける方法は特に制限されない。例えば、輪状のストラップ１００を伸ばして、両端のループで連結された２本の直線状にし、杖５０を支点にこれを折り曲げ、一端のループを他端のループに挿通させて引っ張ることにより取付けられる。
【００２８】
杖用ショルダーストラップ１００を杖５０に取付ける部位の数は、少なくとも１箇所あればよく、特に制限されない。例えば、図１のストラップ１００は、１箇所で杖５０に取付けられる。
【００２９】
杖用ショルダーストラップ１００を取付ける杖５０は、把持部５１と胴部５３とからなり、把持部５１と胴部５３との間に、胴部５３よりも径の小さい首部５２を備えていてもよい。例えば、図１の杖５０は、首部５２を備える。
【００３０】
杖５０における杖用ショルダーストラップ１００を取付ける部位は、好ましくは首部５２から胴部５３の上部にかけてであり、より好ましくは首部５２である。例えば、図１のストラップ１００は、杖５０の首部５２で杖５０に取付けられる。
【００３１】
杖用ショルダーストラップ１００をより容易に杖５０に取付けるために、ストラップ１００は、杖取付部材１２０を備えていてもよい。
【００３２】
杖取付部材１２０は、ストラップ１００を杖５０に取付ける機能を有する限り、形状、大きさ、材質などは特に制限されない。杖取付部材１２０の形状としては、例えば、紐状、ベルト状、鎖状が挙げられる。杖取付部材１２０の長さは、好ましくは３〜１０ｃｍ、より好ましくは３〜５ｃｍである。杖取付部材１２０の材質としては、例えば、布、ニット、合成樹脂、皮革、金属、ゴム類が挙げられる。
【００３３】
杖取付部材１２０は、例えば、図１に示すようなストラップ連結具１２１および１２２と杖連結具１２３とを備えていてもよい。ストラップ連結具１２１および１２２と杖連結具１２３とは、固定式または着脱式のいずれでもよい。例えば、図１のストラップ連結具は、上述のように、手動により互いに着脱自在に係合係止可能な挿通具１２１と被挿通具１２２とからなる。杖連結具１２３としては、例えば、手動により杖５０の首部５２または胴部５３に着脱自在に係合係止可能な円筒状連結具が挙げられる。
【００３４】
杖用ショルダーストラップ１００に設けられる杖取付部材１２０の部位は、上述の分断部１１０とは異なる部位であれば、特に制限されない。分断部１１０を視認しやすくする点で、分断部１１０に近接する部位が好ましい。例えば、図１のストラップ１００は、分断部１１０に近接する部位に杖取付部材１２０を１つ備える。
【００３５】
杖用ショルダーストラップ１００は、ストラップ１００の長さを調整するために、長さ調整具１３０を備えていてもよい。ストラップ１００に設けられる長さ調整具１３０の部位は特に制限されない。
【００３６】
杖用ショルダーストラップ１００は、夜間における杖５０の使用者への周囲の注意を喚起するために、光反射部材または発光部材を備えていてもよい。光反射部材または発光部材は、通常、ストラップ１００の全面または一部表面に接着して設けられる。光反射部材または発光部材は、夜間における杖５０の使用者への周囲の注意を喚起する機能を有する限り、形状、大きさ、材質などは特に制限されない。ストラップ１００に接着して設ける観点から、ストラップ１００と同様の形状が好ましく、大きさとしては、好ましくはストラップ１００と同程度であり、より好ましくはストラップ１００より長さが短い。光反射部材または発光部材の長さは、好ましくは３〜２０ｃｍ、より好ましくは５〜１５ｃｍである。光反射部材または発光部材の材質としては、例えば、光反射材または発光材を担持させた紙、布、樹脂テープ、ゴム類が挙げられる。ストラップ１００に設けられる光反射部材または発光部材の部位は、夜間における杖５０の使用者への周囲の注意を喚起する機能を発揮できる限り、特に制限されない。
【００３７】
図３に、本発明の杖用ショルダーストラップの他の実施態様を示す。
【００３８】
杖用ショルダーストラップ２００に設けられる分断部２１０の部位は特に制限されない。分断部２１０を視認しやすくする点で、杖５０に取付けられたストラップ２００の部位に近接する部位、例えば、杖５０の最も把持部５１に近い部位に取付けられた杖取付部材２２０に近接する部位が好ましい。例えば、図３のストラップ２００は、杖５０の最も把持部５１に近い首部５２に取付けられた杖取付部材２２０に近接する部位に分断部２１０を備える。
【００３９】
杖用ショルダーストラップ２００を杖５０に取付ける方法は特に制限されない。例えば、直線状のストラップ２００の両端を杖５０の首部５２と胴部５３の上部とに結着することにより取付けられる。
【００４０】
杖用ショルダーストラップ２００を杖５０に取付ける部位の数は、少なくとも２箇所あればよく、特に制限されない。例えば、図３のストラップ２００は、両端の２箇所で杖５０に取付けられる。
【００４１】
杖５０における杖用ショルダーストラップ２００を取付ける部位は、好ましくは首部５２から胴部５３の上部にかけてであり、より好ましくは少なくとも１箇所は首部５２である。杖の邪魔にならない点で、ストラップ２００を取付ける部位の２箇所は近接していることが好ましい。例えば、図３のストラップ２００は、杖５０の首部５２と胴部５３の上部との２箇所で杖５０に取付けられる。
【００４２】
杖用ショルダーストラップ２００をより容易に杖５０に取付けるために、ストラップ２００は、杖取付部材２２０を備えていてもよい。
【００４３】
杖用ショルダーストラップ２００に設けられる杖取付部材２２０の部位は、分断部２１０とは異なる部位であればよいが、ストラップ２００の両端に近接する部位が好ましい。分断部２１０を視認しやすくする点で、杖５０の最も把持部５１に近い部位に取付けられた一方の杖取付部材２２０は、分断部２１０に近接する部位に設けられることがより好ましい。例えば、図３のストラップ２００は杖取付部材２２０を２つ備え、一方は、ストラップ２００の一端で分断部２１０に近接する部位に設けられ、他方は、ストラップ２００の他端に設けられる。
【００４４】
次に、本発明の杖用ショルダーストラップの使用方法を、図１のストラップ１００を例に挙げて説明する。まず、ストラップ１００の分断部１１０の挿通具１１１と被挿通具１１２とを係合させて係止させる。次いで、ストラップ１００の杖取付部材１２０を、上述のように、１箇所で杖５０に取付ける。このようにして、ストラップ１００を人の肩にかけた場合、例えば、たすきがけにした場合、杖を人の体から離さないように保持できる状態を形成することができる。
【００４５】
本発明の杖用ショルダーストラップ１００を使用する者は、ストラップ１００を肩にかけた状態で、杖５０やストラップ１００が何らかの物に引っかかり、ストラップ１００を引っ張る外力が作用しても、ストラップ１００が引張荷重により分断部１１０において自動的に分断されるため、体が引っ張られて転倒するなどの危険性がない。杖５０の先端が、電車の扉に挟まれるような場合にも、人身事故にはつながらない。このように、本発明の杖用ショルダーストラップ１００は、杖５０の使用者の安全を確保することができる。
【００４６】
以上、本発明を詳細に説明したが、上記実施態様は例示にすぎず、本発明がこれらの実施態様に限定されないことはいうまでもない。
【産業上の利用可能性】
【００４７】
本発明の杖用ショルダーストラップは、作業の邪魔にならず、ストラップに急な引張荷重が作用した場合に、ストラップが自動的に分断されることにより、杖の使用者の安全を確保できる。また、着脱自在な分断部を備えるため、ストラップを肩にかけるために、ストラップが形成する輪に体または肩をくぐらせる必要がない。
【符号の説明】
【００４８】
５０    杖
５１    把持部
５２    首部
５３    胴部
１００，２００    杖用ショルダーストラップ
１１０，２１０    分断部
１１１，２１１    挿通具
１１２，２１２    被挿通具
１２０，２２０    杖取付部材
１２１，２２１    ストラップ連結具（挿通具）
１２２，２２２    ストラップ連結具（被挿通具）
１２３，２２３    杖連結具
１３０，２３０    長さ調整具
【図１】
2011067477.tif 000003
【図２】
2011067477.tif 000004
【図３】
2011067477.tif 000005